(57)【要約】【課題】下着に固定できながらも、性器の出し入れに伴う下着の伸縮を阻害し難い男性用吸収パッドを提供する。【解決手段】下着内面に面する面状の外側部分１０と、この外側部分１０の身体側に一体化された面状の内側部分２０と、外側部分１０の下着側面に設けられた、下着に固定される粘着材層１１とを備え、外側部分１０と内側部分２０との間の空間１ｓに性器が挿入されるように構成されるとともに、外側部分１０および内側部分２０のうち、粘着材層１１を有する部分を除く部分の一部または全部に吸収体３０が設けられ、かつ粘着材層１１を有する部分に吸収体３０が設けられていない構造とする。【選択図】図３
2008073119.tif 000002
【特許請求の範囲】
【請求項１】
下着内面に面する面状の外側部分と、この外側部分の身体側に一体化された面状の内側部分と、前記外側部分の下着側面に設けられた、下着に固定される固定部とを備え、前記外側部分と内側部分との間の空間に性器が挿入されるように構成された、男性用吸収パッドであって、
前記外側部分および内側部分のうち、前記固定部を除く部分の一部または全部に吸収体が設けられており、かつ前記固定部に吸収体が設けられていない、
ことを特徴とする男性用吸収パッド。
【請求項２】
前記内側部分の周縁部が上縁部を除いて前記外側部分の身体側面に一体化され、前記内側部分の上縁部と前記外側部分との間の開口を通して前記空間に性器が挿入されるように構成された、請求項１記載の男性用吸収パッド。
【請求項３】
前記外側部分の全体に吸収体が設けられておらず、前記内側部分に吸収体が設けられている、請求項１または２記載の男性用吸収パッド。
【請求項４】
前記固定部は前記外側部分の上側部分のみに設けられており、前記外側部分の下側部分および前記内側部分に吸収体が設けられている、請求項１または２記載の男性用吸収パッド。
【請求項５】
液透過性トップシートと液不透過性バックシートとの間に吸収体を有する積層構造体の一方側を他方側に折り返し、一方側を前記内側部分とし、他方側を前記外側部分としてなり、
前記吸収体が前記内側部分にのみ存在するか、あるいは前記内側部分から前記折り返し部位を介して前記外側部分まで延在されている、
請求項１〜４のいずれか１項に記載の男性用吸収パッド。
【請求項６】
前記内側部分は、前記外側部分に対向する液透過性の内側トップシートと、身体側に位置する液不透過性の内側バックシートと、これらの間に介在された内側吸収体とを有しており、
前記外側部分は、前記内側部分に対向し且つ前記内側トップシートとは別体のシートからなる液透過性の外側トップシートと、下着側に位置し且つ前記内側バックシートとは別体のシートからなる液不透過性の外側バックシートとを有し、かつトップシートとバックシートとの間の全体に吸収体が介在されていないか、あるいは下側部分におけるトップシートとバックシートとの間にのみ吸収体が介在されている、
請求項１〜４のいずれか１項に記載の男性用吸収パッド。
【請求項７】
外側部分における下着側面のうち少なくとも前記固定部が伸縮部材により形成されている、請求項１〜６のいずれか１項に記載の男性用吸収パッド。
【請求項８】
外側部分における下着側面のうち少なくとも上端部に、長手方向に沿うスリットが幅方向に間隔を空けて複数形成されるとともに、このスリットを有する部分の下着側面に液不透過性伸縮シートが貼り付けられ、この液不透過性伸縮シートの下着側面に前記固定部が設けられている、請求項１〜７のいずれか１項に記載の男性用吸収パッド。
【発明の詳細な説明】
【技術分野】
【０００１】
本発明は、男性用吸収パッドに関するものである。
【背景技術】
【０００２】
成人男性の尿漏れに対処するための吸収性物品として、男性用吸収パッドが提案され、市販されている。具体的には、吸収体を内蔵する面状の吸収本体部の吸収面全体を内面側シートで覆い、内面側シートの所定部位に、吸収面と内面側シートとの間の陰茎挿入空間に通じる円形の陰茎挿入開口を形成したもの（特許文献１参照）や、吸収面の幅方向中央に対して一方側の部分および他方側の部分をそれぞれ別の内面側シートで被覆し、これら一対の内面側シート間のスリット状開口から吸収面と内面側シートとの間の陰茎挿入空間に陰茎を挿入するもの（特許文献２参照）が知られている。内面側シートは、陰茎を包み込み、尿を漏らさずに堰き止める機能を果たす。
かかる男性用吸収パッドは、吸収本体部の外面に設けられた粘着材層を介して下着の内面に貼り付けて使用される。排尿時には、下着に男性用吸収パッドを取り付けた状態で、図１に示されるように、（ａ）下着１００のウエストゴム１０１を引き下げ、その上から陰茎を取り出す、（ｂ）下着１００の前開き部１０２を横に広げて開口させ、その開口から陰茎を取り出す、あるいは（ｃ）下着１００の脚開口の前部１０３を横に広げて開口させ、その開口から陰茎を取り出すようにする。この際、下着は概ね図１に矢印で示されるように伸縮される。
【特許文献１】特表２００２−５０９４６２号公報
【特許文献２】特開２００５−１６８９６７号公報
【発明の開示】
【発明が解決しようとする課題】
【０００３】
しかしながら、従来の男性用吸収パッドでは、吸収体を有する高剛性部分に下着が固定される結果、排尿時の性器の出し入れに伴う下着の伸縮が阻害され、性器の出し入れが困難であるという問題点があった。
そこで、本発明の主たる課題は、下着に固定できながらも、性器の出し入れに伴う下着の伸縮を阻害し難い男性用吸収パッドを提供することにある。
【課題を解決するための手段】
【０００４】
上記課題を解決した本発明は次記のとおりである。
＜請求項１記載の発明＞
下着内面に面する面状の外側部分と、この外側部分の身体側に一体化された面状の内側部分と、前記外側部分の下着側面に設けられた、下着に固定される固定部とを備え、前記外側部分と内側部分との間の空間に性器が挿入されるように構成された、男性用吸収パッドであって、
前記外側部分および内側部分のうち、前記固定部を除く部分の一部または全部に吸収体が設けられており、かつ前記固定部に吸収体が設けられていない、
ことを特徴とする男性用吸収パッド。
【０００５】
（作用効果）
本発明では、吸収パッドを外側部分と内側部分とからなる二重構造とし、外側部分における下着に対する固定部に吸収体を設けていない。したがって、吸収体を有する高剛性部分に下着が固定されないため、下着の伸縮が阻害され難くなる。また、内側部分にも吸収体を設けることができるため、吸収量も十分に確保することができる。
【０００６】
＜請求項２記載の発明＞
前記内側部分の周縁部が上縁部を除いて前記外側部分の身体側面に一体化され、前記内側部分の上縁部と前記外側部分との間の開口を通して前記空間に性器が挿入されるように構成された、請求項１記載の男性用吸収パッド。
【０００７】
（作用効果）
本項記載のように形成されていると、性器挿入空間が袋状（ポケット状）となり、尿を漏らさずに吸収することができるため好ましい。なお、本発明における方向に関する用語のうち、上下に関するものは、基本的にパッドを下着に装着した状態における上下を意味する。よって、本項記載の発明における「上縁部」とは、パッドを下着に装着した状態における上縁部を意味する。
【０００８】
＜請求項３記載の発明＞
前記外側部分の全体に吸収体が設けられておらず、前記内側部分に吸収体が設けられている、請求項１または２記載の男性用吸収パッド。
【０００９】
（作用効果）
このように外側部分に全く吸収体が設けられていないと、より一層、下着の伸縮が阻害され難くなるため好ましい。
【００１０】
＜請求項４記載の発明＞
前記固定部は前記外側部分の上側部分のみに設けられており、前記外側部分の下側部分および前記内側部分に吸収体が設けられている、請求項１または２記載の男性用吸収パッド。
【００１１】
（作用効果）
このように内側部分だけでなく、外側部分の下側部分にも吸収体を設けることによって、下着の伸縮を阻害せずに、吸収量を増加させることができる。なお、前述したとおり、上側部分および下側部分とは、パッドを下着に装着した状態における上側部分および下側部分を意味する。
【００１２】
＜請求項５記載の発明＞
液透過性トップシートと液不透過性バックシートとの間に吸収体を有する積層構造体の一方側を他方側に折り返し、一方側を前記内側部分とし、他方側を前記外側部分としてなり、
前記吸収体が前記内側部分にのみ存在するか、あるいは前記内側部分から前記折り返し部位を介して前記外側部分まで延在されている、
請求項１〜４のいずれか１項に記載の男性用吸収パッド。
【００１３】
（作用効果）
このように構成されていると製造が容易であるとともに、性器挿入空間の下端において外側部分と内側部分とが継ぎ目無く連続するため、吸収性能に優れる、尿が滲み出る心配が無いなどの利点がある。
【００１４】
＜請求項６記載の発明＞
前記内側部分は、前記外側部分に対向する液透過性の内側トップシートと、身体側に位置する液不透過性の内側バックシートと、これらの間に介在された内側吸収体とを有しており、
前記外側部分は、前記内側部分に対向し且つ前記内側トップシートとは別体のシートからなる液透過性の外側トップシートと、下着側に位置し且つ前記内側バックシートとは別体のシートからなる液不透過性の外側バックシートとを有し、かつトップシートとバックシートとの間の全体に吸収体が介在されていないか、あるいは下側部分におけるトップシートとバックシートとの間にのみ吸収体が介在されている、
請求項１〜４のいずれか１項に記載の男性用吸収パッド。
【００１５】
（作用効果）
このように構成されていると、外側トップシートと内側トップシートのそれぞれに対して、肌触りの良い素材の選択が可能となる。また、外側バックシートに対して下着の伸縮を阻害しにくい素材の選択や、内側バックシートに対して肌触りの良い素材の選択が可能となる。
【００１６】
＜請求項７記載の発明＞
外側部分における下着側面のうち少なくとも前記固定部が伸縮部材により形成されている、請求項１〜６のいずれか１項に記載の男性用吸収パッド。
【００１７】
（作用効果）
このように構成されていると、固定部における下着の伸縮が阻害され難くなるため、より一層好ましいものとなる。
【００１８】
＜請求項８記載の発明＞
外側部分における下着側面のうち少なくとも上端部に、長手方向に沿うスリットが幅方向に間隔を空けて複数形成されるとともに、このスリットを有する部分の下着側面に液不透過性伸縮シートが貼り付けられ、この液不透過性伸縮シートの下着側面に前記固定部が設けられている、請求項１〜７のいずれか１項に記載の男性用吸収パッド。
【００１９】
（作用効果）
このように構成されていると、下着のウエストゴム等、下着の上部における胴回り方向の伸縮が阻害され難くなるため、より一層好ましいものとなる。なお、前述したとおり、上端部とは、パッドを下着に装着した状態における上端部を意味する。
【発明の効果】
【００２０】
以上のとおり、本発明によれば、下着に固定できながらも、性器の出し入れに伴う下着の伸縮を阻害し難い男性用吸収パッドとなる等の利点がもたらされる。
【発明を実施するための最良の形態】
【００２１】
以下、本発明の一実施形態について添付図面を参照しながら詳説する。
図２は、本発明に係る男性用吸収パッドの例１を示し、図３はその３−３断面を示しており、また図４はその４−４断面を示している。この吸収パッド１は、下着内面に面する面状の外側部分１０と、この外側部分１０の身体側に一体化された面状の内側部分２０とを備えている。外側部分１０の形状は、面状である限り適宜の形状を採用することができ、例えば図示例のように、脚回りへのフィット性を考慮して下側（股間側）ほど幅が狭くなる逆さ台形状としたり、長方形状や楕円形状としたりすることができる。外側部分１０の寸法は適宜定めることができ例えば長さは１８０〜２５０ｍｍ、幅は８０〜１６０ｍｍ程度とすることができる。
【００２２】
内側部分２０は外側部分１０との間に性器挿入空間１ｓを形成するものであり、外側部分１０における性器配置部位Ｘを覆いうるような寸法・形状を有していれば、外側部分１０より小さくても、大きくても、同じ大きさであっても良い。本実施形態では、性器配置部位Ｘ（適宜定めることができる）は外側部分１０における長手方向中間の部位であって且つ幅方向中央の部位であり、内側部分２０は外側部分１０の下半分の全体を覆うように設けられており、外側部分１０の上側部分は内側部分２０により覆われていない。また、内側部分２０の周縁部は上縁部を除いて外側部分１０の身体側面に一体化されている。このように、内側部分２０により外側部分１０の下側部分を覆う場合、内側部分２０の長さを外側部分１０の４０〜６０％程度、幅を外側部分１０の８０〜１００％程度とするのは一つの好ましい形態である。内側部分２０の上縁部と外側部分１０との間の開口は、性器挿入空間１ｓへの性器挿入口となる。
【００２３】
また、外側部分１０を下着に固定するための固定部として、外側部分１０の下着側面（外面）のほぼ全体にわたり粘着材層１１が設けられ、この粘着材層１１を覆うように剥離シート１２が貼り付けられている。粘着材層１１に代えて、メカニカルファスナーの雄材等を用いることもできる。粘着材層１１の配置や大きさは適宜定めることができるが、下着の伸縮を阻害しないものが好ましい。例えば、粘着材層１１は、下着が大きく伸縮する部位と重なる部位には可能な限り設けないのが好ましい。また粘着材層１１を設ける場合、点状や線状の粘着材層１１を可能な限り間隔を空けて設けるのが好ましい。
【００２４】
図５に、粘着材層１１の各種形態を示した。図５（ａ）の例は、幅方向に沿う直線状の粘着材層１１が長手方向に間隔を空けて複数列設けられるとともに、長手方向中間部に位置するものほど幅が短くされ、幅方向両側における粘着材層１１を有しない部分が長手方向中間部においてより大きくなるように構成されているものである。この場合、下着の前開き部を横に広げたり、下着の脚開口の前部を横に広げたりする際の伸縮が阻害され難くなる等の利点がある。図５（ｂ）は、（ａ）の粘着材層１１の幅を極端に短くした例であり、ほぼ点状の粘着材層１１が幅方向中央に沿って長手方向に間隔を空けて複数箇所設けられたものである。図５（ｃ）は、（ａ）の粘着材層１１の間隔を極端に広げて、長手方向両端部のみに幅方向に沿う直線状の粘着材層１１をそれぞれ設けたものである。図５（ｄ）は、（ｃ）よりも更に幅方向の伸縮性を向上させるために、上端部の両側に点状の粘着材層１１を設けるとともに、下端部の幅方向中央に点状の粘着材層１１を設けるのみとしたものである。さらに図５（ｅ）は、上端部のみに点状の粘着材層１１を幅方向に間隔を空けて複数設けたものであり、パッド下側部分における下着の伸縮は殆ど阻害されず、またパッド上端部においても粘着材層１１が幅方向に間隔を空けて設けられているため、単に直線状に連続させるよりは下着の伸縮を阻害しないものである。
【００２５】
特徴的には、図２〜図４に示す形態では、外側部分１０の全体に吸収体３０が設けられておらず、内側部分２０内にのみ吸収体３０が設けられている。これにより、下着が固定される外側部分１０の剛性が低く抑えられ、下着の伸縮が阻害され難くなるとともに、内側部分２０内の吸収体３０により吸収性能が確保される。吸収性能を重視する場合には、図６に示すように、粘着材層１１を外側部分１０の上側部分のみに設け、吸収体３０を内側部分２０だけでなく外側部分１０の下側部分（粘着材層１１を有しない部分である）にも設けることができる。外側部分１０の下側部分に吸収体３０を設ける場合、吸収体３０の寸法は適宜定めることができるが、長さは外側部分１０の５〜５０％程度、幅は外側部分１０の６０〜９５％程度とするのは一つの好ましい形態である。
【００２６】
断面構造について更に詳細に説明すると、外側部分１０の内面（身体側面）の全体および内側部分２０の外面（下着側面）の全体は液透過性トップシート３１により形成されており、また、外側部分１０の下着側面の全体および内側部分２０の身体側面の全体は液不透過性シート３２により形成されており、これらトップシート３１と液不透過性シート３２間における所定部位に吸収体３０が介在されている。トップシート３１及び液不透過性シート３２は吸収体３０に固定しないのが好ましい。
【００２７】
これら部品の素材としては、公知のものを適宜用いることができる。例えば、液透過性トップシート３１としては、目付け１７〜２１ｇ／ｍ2程度の各種不織布の他、多数の孔を有する孔開きフィルム等を用いることができる。吸収体３０としては、パルプ繊維の積繊体、セルロースアセテート等のフィラメントの集合体、あるいは不織布を基本とし、必要に応じて高吸収性ポリマーを混合、固着等してなるものを用いることができる。また、液不透過性シート３２としては、ポリエチレンフィルム等からなる非通気性フィルムまたは通気性多孔質フィルムを単体で用いたり、その外面側（外側部分における下着側、および内側部分における身体側）に目付け１５〜１７ｇ／ｍ2程度の各種不織布（特に強度および柔軟性の両立の観点から、ＳＭＳ不織布やＳＭＭＳ不織布等の積層不織布が好適）を張り合わせたものを用いたりすることができる。特に外側部分１０における素材として、伸縮性ポリシート等のように伸縮性に富む素材を用いると、粘着材１１による固定部分における下着の伸縮が阻害され難くなるため好ましい。
【００２８】
また、図７及び図８に示すように、外側部分１０における下着側面、すなわち液不透過性シート３２のうち少なくとも上端部に、上下方向に沿うスリット３２ｓを幅方向に間隔を空けて複数形成するとともに、このスリット３２ｓを有する部分の下着側面に、別体のウレタンシート等の液不透過性伸縮シート１３を貼り付け、その下着側面（外面）に粘着材層１１を設けるのも好ましい。この場合、スリット３２ｓの開閉により液不透過性シート３２の上端部が大幅に伸縮するようになるとともに、スリット３２ｓを通じた液漏れが液不透過性伸縮シート１３により遮断されるようになる。特に図示形態のように、幅方向に配列されたスリット３２ｓの列が、長手方向に間隔を空けて複数列設けられるとともに、各列のスリット３２ｓの長手方向範囲が隣列のスリット３２ｓの長手方向範囲と一部ラップするように、各列のスリット３２ｓが互い違いに配置されていると好ましい。
【００２９】
他方、上述したような断面構造は、例えば液透過性トップシート３１と液不透過性バックシート３２との間に吸収体３０を挟み、周縁部においてトップシート３１及び液不透過性シート３２をホットメルト接着剤やヒートシール、超音波シール等により接合して積層構造体を形成した後、この積層構造体の一方側を内側部分２０とし、他方側を外側部分１０として、トップシート３１側面が重なるように折り返し、内側部分２０のトップシート３１における幅方向両側縁Ｅ，Ｅを、外側部分１０のトップシート３１に対してホットメルト接着剤やヒートシール、超音波シール等により接合することにより形成することができる。この場合、吸収体３０を内側部分２０にのみ設けることで図２〜４に示される形態となり、また内側部分２０から折り返し部位を介して外側部分１０まで延在させることにより図６に示される形態となる。これらの形態では、トップシート３１およびバックシート３２が、また図６の形態では吸収体３０までもが、外側部分１０から内側部分２０まで連続する一体的な素材により形成することができる。つまり、性器挿入空間１ｓの下端部（装着状態）において外側部分１０と内側部分２０とが継ぎ目無く連続するため、吸収性能に優れる、尿が滲み出る心配が無いなどの利点がある。
【００３０】
また、図９に示すように、外側部分１０および内側部分２０を、別体のトップシート３１、バックシート３２、吸収体３０によりそれぞれ別個に形成した後、外側部分１０の身体側に内側部分２０を一体化することもできる。この場合、外側部分１０および内側部分２０の各々は、周縁部においてトップシート及び液不透過性シートがホットメルト接着剤やヒートシール、超音波シール等により接合されて形成される。また、外側部分１０および内側部分２０の一体化に際しては、内側部分２０のトップシート３１における周縁部は上縁部を除いて外側部分１０のトップシート３１に対して、ホットメルト接着剤やヒートシール、超音波シール等により接合される。図９に示す形態は、外側部分１０におけるトップシート３１とバックシート３２との間に内に吸収体３０を有しない形態であるが、図６に示す形態に倣って、外側部分１０の下側部分におけるトップシート３１とバックシート３２との間に吸収体を設けることもできる。このように構成されていると、外側トップシートと内側トップシートのそれぞれに対して、肌触りの良い素材の選択が可能となる。また、外側バックシートに対して下着の伸縮を阻害しにくい素材の選択や、内側バックシートに対して肌触りの良い素材の選択が可能となる。
【産業上の利用可能性】
【００３１】
本発明は、男性用吸収パッドに適用されるものである。
【図面の簡単な説明】
【００３２】
【図１】各種の排尿形態を示す下着の正面図である。
【図２】本発明に係る男性用吸収パッドの展開状態における身体側面の平面図である。
【図３】図２の３−３断面の概略図である。
【図４】図２の４−４断面の概略図である。
【図５】粘着材層の各種配置を示す平面図である。
【図６】他の例における、図２の３−３断面に相当する部分の概略図である。
【図７】別の吸収パッドの展開状態における下着側面の平面図である。
【図８】図７の８−８断面の概略図である。
【図９】さらに別の例における、図２の３−３断面に相当する部分の概略図である。
【符号の説明】
【００３３】
１…男性用吸収パッド、１０…外側部分、２０…内側部分、３０…吸収体、３１…トップシート、３２…液不透過性シート。
【図１】
2008073119.tif 000003
【図２】
2008073119.tif 000004
【図３】
2008073119.tif 000005
【図４】
2008073119.tif 000006
【図５】
2008073119.tif 000007
【図６】
2008073119.tif 000008
【図７】
2008073119.tif 000009
【図８】
2008073119.tif 000010
【図９】
2008073119.tif 000011